(57)【要約】      （修正有）【課題】猫砂が収容具の外部に飛散することを抑制すると共に、収容具の内部に散乱した猫砂を従来よりも容易に廃棄できる猫用トイレ収容具を提供する。【解決手段】猫用トイレＴの側方及び上方を覆うカバー１と、このカバー１に形成した猫の出入口１６とを備える。また、猫用トイレＴの下に敷かれカバー１を受けるトレー２を備えると共に、このトレー２にカバー１の下端部を囲う枠２１を形成する。カバー１はトレー枠２１の内側に配置されるので、猫用トイレＴから飛散した猫砂は、カバー１の内壁にあたって又は直接に、トレー２に落ちる。カバー１と猫用トイレＴを外せば、トレー枠２１内に溜まった猫砂等をトレー２ごと持ち上げて容易に廃棄することができる。【選択図】図１
0003193414.tif 000002
【実用新案登録請求の範囲】
【請求項１】
猫用トイレの側方及び上方を覆うカバーと、このカバーに形成した猫の出入口とを備えた猫用トイレ収容具において、
前記猫用トイレの下に敷かれ前記カバーを受けるトレーを備えると共に、このトレーに前記カバーの下端部を囲う枠を形成した、猫用トイレ収容具。
【請求項２】
前記カバーの天面を開閉可能とした、請求項１に記載の猫用トイレ収容具。
【請求項３】
前記カバーの側面上部に、採光兼手掛穴を形成した、請求項１に記載の猫用トイレ収容具。
【請求項４】
前記出入口を、前記カバーの長手方向に沿う側面の横方向の片側に寄せて配置した、請求項１に記載の猫用トイレ収容具。
【請求項５】
前記トレーの面に開閉可能な廃棄部を備えた、請求項１に記載の猫用トイレ収容具。
【請求項６】
前記カバーの下端部が前記トレーに形成した前記枠の内側に嵌るように寸法を設定し、当該枠の一部を切り欠いた廃棄部を設け、この廃棄部が、前記トレーにカバーを嵌めると閉塞され、前記トレーからカバーを外すと開口するように構成した、請求項１に記載の猫用トイレ収容具。
【考案の詳細な説明】
【技術分野】
【０００１】
本考案は、猫砂を入れた猫用トイレを収容し、外部への猫砂の飛散を抑える猫用トイレ収容具に関する。
【背景技術】
【０００２】
この技術分野の公知技術として特許文献１が開示されている。特許文献１によれば、底面の無いカバーによりペット用トイレの側方と上方とを覆うことにより、ペット用トイレ内の猫砂がカバーの外側に飛散することを防止する（段落００２５等）。カバーには底面が無いため、カバーを持ち上げれば、カバーの内側の床（ペット用トイレの設置面）に落ちた猫砂を集めて捨てることができる。
【０００３】
しかし、ペット用トイレの設置面に落ちた猫砂を掻き集めてすくい取って捨てる作業には手間を要する。
【先行技術文献】
【特許文献】
【０００４】
【特許文献１】特開２０１２−８０８８０号公報
【考案の概要】
【考案が解決しようとする課題】
【０００５】
本考案の猫用トイレ収容具は、猫砂が収容具の外部に飛散することを抑制すると共に、収容具の内部に散乱した猫砂を従来よりも容易に廃棄できるようにすることを、課題とする。
【課題を解決するための手段】
【０００６】
この課題を解決するため、本考案の猫用トイレ収容具は、猫用トイレの側方及び上方を覆うカバーと、このカバーに形成した猫の出入口とを備える。また、猫用トイレの下に敷かれカバーを受けるトレーを備えると共に、このトレーにカバーの下端部を囲う枠を形成する。
【０００７】
カバーはトレー枠の内側に配置されるので、猫用トイレから飛散した猫砂は、カバーの内壁にあたって又は直接に、トレーに落ちる。カバーと猫用トイレを外せば、トレー枠内に溜まった猫砂等をトレーごと持ち上げて容易に廃棄することができる。
【考案の効果】
【０００８】
よって、本考案の猫用トイレ収容具によれば、猫砂が収容具の外部に飛散することを抑制すると共に、収容具の内部に散乱した猫砂を従来よりも容易に廃棄することができる。
【図面の簡単な説明】
【０００９】
【図１】図１は、本考案の一実施形態を示す斜視図である。
【図２】図２は、図１のカバーを取り外した状態を示す斜視図である。
【図３】図３は、図１のトレーに落ちた猫砂を廃棄する様子を示す斜視図である。
【図４】図４は、トレーの変形例を示す斜視図である。
【図５】図５は、本考案の他の実施形態を示す斜視図である。
【考案を実施するための形態】
【００１０】
以下、本考案の実施形態を図面を参照しながら説明する。図１において、猫用トイレ収容具は、猫用トイレＴの側方及び上方を覆うカバー１と、猫用トイレＴの下に敷かれカバー１を受けるトレー２とを備えている。
【００１１】
カバー１は、四方の側面部材１１〜１４と天面部材１５とを備え、開閉可能な天面部材１５を閉じた状態でカバー１の外形が直方体となるように形成されている。本実施形態において、カバー１は、段ボールで形成されており、底面部材を有しない。天面部材１５を開閉可能としたのは、天面部材１５を開くことにより、カバー１の内部の状況の確認や清掃を容易に行うことができるからである。
【００１２】
カバー１の長手方向の１つの側面部材１１には、猫の出入口１６が方形に切り抜かれて形成されている。出入口１６は、側面部材１１に向かって右側（片側）に寄せて配置されており、かつ、上方に寄せて配置されている。出入口１６を側面部材１１の片側に寄せて配置したのは、カバー１内部の出入口１６に対応する位置に玄関のたたき台に相当するスペースを設けるためである。図１に示すように、カバー１の内部に配置する猫用トイレＴの長手方向の長さを出入口１６のある側面部材１１の長さの３分の１程度に短く設定することにより、出入口１６の内部下方に猫用トイレＴが配置されていない玄関のたたき台に相当するスペースを設けることができる。このようにすると、猫が猫用トイレTの猫砂を掻き出したとき、掻き出した猫砂が出入口１６に向かって直接飛び出す確率を抑えることができる。また、猫は、猫砂の上から一度たたき台に移動してから出入口１６を出るので、猫砂の上から直接出入口１６を跳び出す場合に比べ、出入口１６からの猫砂の飛び出しを抑えることができる。また、出入口１６を側面部材１１の上方に寄せて配置したのも、出入口１６からカバー１の外部への猫砂の飛び出しを抑えるためである。
【００１３】
カバー１の短手方向の側面部材１２，１３の上方には、長方形の採光兼手掛穴１７が切り抜きにより形成されている。採光兼手掛穴１７は、各側面部材１２，１３に横並びに２つずつ形成されている。採光兼手掛穴１７は、カバー１の内部の明り取りとして、かつ、カバー１を持つ際に指を掛ける手掛穴として機能する。
【００１４】
カバー１を持ち上げると、図２に示すように、トレー２と、トレー２の上に設置された猫用トイレＴとが現れる。トレー２は、方形に形成され、当該方形をなす四辺にはトレー面から垂直に立ち上がる端部枠２１が形成されている。カバー１の四方の側面部材１１〜１４は、その下端部がトレー２の端部枠２１の内側に入るように寸法が設定されている。本実施形態では、図１に示すように、カバー１の各側面部材１１〜１４の外面が、トレー２の各端部枠２１の内面にすっぽりと嵌るように寸法が設定されている。
【００１５】
方形に形成されたトレー２の１つの角には、トレー面に開閉可能な廃棄部２２が形成されている。カバー１の内部で猫用トイレＴから飛散した猫砂は、トレー２に落ちる。トレー２から猫用トイレＴを外し、図３に示すように、廃棄部２２を開くと、トレー２に落ちた猫砂をトレー２をひっくり返すことなく廃棄部２２の穴から容易に廃棄することができる。
【００１６】
廃棄部の変形例として、図４に示すように、トレー２の端部枠２１の角に、廃棄部２３を切り抜いて形成してもよい。トレー２の端部枠２１の内側に、カバー１の側面部材１１〜１４が当接しているとき、廃棄部２３は、カバー１の１つの側面部材により閉塞され、廃棄部２３から猫砂等がこぼれることが防止される。一方、カバー１を取り外すと、廃棄部２３が開口し、トレー２に落ちた猫砂をトレー２をひっくり返すことなく廃棄部２３から容易に廃棄することができる。
【００１７】
猫用トイレ収容具の形状の変形例として、図５に示すように、カバー１の天面部材１５を閉じたときの外形を立方形に近い形状としてもよい。出入口１６は側面部材の横方向の中央に配置してもよい。採光兼手掛穴１７は、対向する２枚の側面部材にそれぞれ、横に３つずつ並べて設けてもよい。
【００１８】
以上説明した本実施形態によれば、カバー１及びトレー２からなる猫用トイレ収容具の中に猫用トイレＴを収容することにより、猫用トイレ収容具の外側に猫砂が飛散することを抑え、猫砂による外部の汚染を抑えることができる。また、外観ではトイレと分かりにくくなる効果がある。出入口１６を上方に寄せて配置することにより、出入口１６から外部への猫砂の飛散を抑えることができる。カバー１の内部で飛散した猫砂はトレー２に落ちるので、カバー１と猫用トイレＴとをトレー２から外せば、トレー２に落ちた猫砂を集めて捨てることができる。本実施形態のように、トレー２に廃棄部２２又は２３を設けると、トレー２をひっくり返すことなく、トレー２に溜まった猫砂を容易に捨てることができる。カバー１の天面部材１５は開閉可能なため、カバー１を取り外さなくても中の状況の確認や、簡単な掃除を行うことができる。カバー１の上方には採光兼手掛穴１７を設けたので、カバー１の内部への採光として、かつ、カバー１を持つ際の手掛穴として利用することができる。カバー１及びトレー２を段ボールで製作することにより、軽量で低価格な猫用トイレ収容具を提供することができる。また、段ボールで製作することにより、老朽化したり不要になった場合でも資源として再利用することができエコである。また、段ボールで製作することにより、猫用トイレ収容具の外面に様々な模様やイラストなどを容易にデザインすることができ、ファッション性を向上することができる。カバー１の中にトイレを置かない場合でもおしゃれな猫ハウスとして使用することが可能である。
【００１９】
ここで、本考案は上記の実施形態に限られない。例えば、カバーの寸法及び形状は、猫用トイレを覆うことができ、かつ、トレーの端部枠内に収まる寸法及び形状であればよい。カバー天面部材の開閉構造の有無、出入口の配置及び形状並びに採光兼手掛穴の有無、形状及び配置は、上記実施形態と異なっていてもよい。トレーの廃棄部の有無、形状及び配置は、上記実施形態と異なっていてもよい。トレーの周囲に形成された端部枠の寸法及び形状は、上記実施形態と異なっていてもよい。カバーの天面部材を開閉する構造は、上記実施形態と異なっていてもよい。カバー及びトレーを形成する素材は、段ボールに限らず、プラスチックやバルサ等でもよい。
【符号の説明】
【００２０】
１  カバー
２  トレー
１１，１２，１３，１４  カバーの側面部材
１５  カバーの天面部材
１６  出入口
１７  採光兼手掛穴
２１  トレーの端部枠
２２，２３  廃棄部
Ｔ  猫用トイレ
【図１】
0003193414.tif 000003
【図２】
0003193414.tif 000004
【図３】
0003193414.tif 000005
【図４】
0003193414.tif 000006
【図５】
0003193414.tif 000007